(57)【要約】【課題】機構ボックスを設置する場合、本体のサイズを変更することなく施工が容易で空調の性能の低下を回避することができる天井埋込型空気調和装置を提供する。【解決手段】吸込グリルとロング・ライフ・フィルタ１１とが一体的にフィルタ交換位置まで降下可能に構成された昇降グリル２００を備えた天井埋込型空気調和装置において、昇降グリル２００を昇降させる昇降機構を収納した機構ボックス２１を有し、この機構ボックス２１の一部を、本体１の側面部１ａに設けた切り欠き部５１を通じて本体１の外部に露出させた。【選択図】      図４
2004218988.tif 000002
【特許請求の範囲】
【請求項１】
天井内に埋設される本体の下端に、吹出口と吸込口とを有するグリル枠を設け、このグリル枠の吸込口には吸込グリルを設け、この吸込グリルの開口部には、吸込空気を清浄化するためのフィルタを着脱可能に設置し、前記吸込グリルとフィルタとが一体的にフィルタ交換位置まで降下可能に構成された昇降グリルを備えた天井埋込型空気調和装置において、
前記昇降グリルを昇降させる昇降機構を収納した機構ボックスを有し、この機構ボックスの一部を、前記本体の側面部に設けた切り欠き部を通じて前記本体の外部に露出させたことを特徴とする天井埋込型空気調和装置。
【請求項２】
請求項１に記載の天井埋込型空気調和装置において、
前記機構ボックスを、前記グリル枠の吸込口を避けた端部に固定したことを特徴とする天井埋込型空気調和装置。
【請求項３】
請求項１に記載の天井埋込型空気調和装置において、
前記機構ボックスを、前記グリル枠の端部に設けられた当該グリル枠を補強する補強金具に固定したことを特徴とする天井埋込型空気調和装置。
【請求項４】
天井内に埋設される本体の下端に、吹出口と吸込口とを有するグリル枠を設け、このグリル枠の吸込口には吸込グリルを設け、この吸込グリルの開口部には、吸込空気を清浄化するためのフィルタを着脱可能に設置し、前記吸込グリルとフィルタとが一体的にフィルタ交換位置まで降下可能に構成された昇降グリルを備えた天井埋込型空気調和装置において、
前記昇降グリルを昇降させる昇降機構を収納した機構ボックスを前記グリル枠の端部に設置する際に前記本体の外部に前記機構ボックスの一部を露出するための切り欠き部を前記本体の側面部に設け、前記機構ボックスを設置しない場合には、前記切り欠き部が板材で閉塞されることを特徴とする天井埋込型空気調和装置。
【発明の詳細な説明】
【０００１】
【発明の属する技術分野】
本発明は、天井埋込型空気調和装置に関する。
【０００２】
【従来の技術】
一般に、天井内に埋設される本体の下端に、吹出口と吸込口とを有するグリル枠を設け、このグリル枠の吸込口開口部にフィルタを支持する吸込グリルを設け、この吸込グリルをフィルタごと昇降自在に形成し、フィルタを交換するときには吸込グリルをフィルタごと降下させて、このフィルタを低所で交換できるようにした空気調和装置が知られている（例えば、特許文献１参照。）。
【０００３】
従来の構成では、吸込グリルの四隅をそれぞれ吊りひもで支持し、この吊りひもを繰り出し、或いは巻き取りする昇降機構を収納する機構ボックスを備えるのが一般的である。
【０００４】
【特許文献１】
特開２００２−３４９８９３号公報
【０００５】
【発明が解決しようとする課題】
しかしながら、上記の機構ボックスを本体の内部に設置する場合、機構ボックスの設置スペースを確保するために本体のサイズを変更するのは、本体が大型となるので好ましくない。そこで、本体のサイズを変更せず機構ボックスの設置スペースを確保するために吸込口を小さくしたり、吸込口の一部を閉塞するように機構ボックスを設置したのでは、吸込抵抗が増加してしまい、空調の性能が低下してしまう。
【０００６】
一方、この吸込抵抗の増加を回避すべく機構ボックスを本体の外部に設置する場合、この機構ボックスが天井板に干渉してしまい、施工が困難となってしまう。
【０００７】
そこで、本発明の目的は、上述した従来の技術が有する課題を解消し、機構ボックスを設置する場合、本体のサイズを変更することなく施工が容易で空調の性能の低下を回避することができる天井埋込型空気調和装置を提供することにある。
【０００８】
【課題を解決するための手段】
請求項１記載の発明は、天井内に埋設される本体の下端に、吹出口と吸込口とを有するグリル枠を設け、このグリル枠の吸込口には吸込グリルを設け、この吸込グリルの開口部には、吸込空気を清浄化するためのフィルタを着脱可能に設置し、前記吸込グリルとフィルタとが一体的にフィルタ交換位置まで降下可能に構成された昇降グリルを備えた天井埋込型空気調和装置において、前記昇降グリルを昇降させる昇降機構を収納した機構ボックスを有し、この機構ボックスの一部を、前記本体の側面部に設けた切り欠き部を通じて前記本体の外部に露出させたことを特徴とするものである。
【０００９】
請求項２記載の発明は、請求項１記載のものにおいて、前記機構ボックスを、前記グリル枠の吸込口を避けた端部に固定したことを特徴とするものである。
【００１０】
請求項３記載の発明は、請求項１記載のものにおいて、前記機構ボックスを、前記グリル枠の端部に設けられた当該グリル枠を補強する補強金具に固定したことを特徴とするものである。
【００１１】
請求項４記載の発明は、天井内に埋設される本体の下端に、吹出口と吸込口とを有するグリル枠を設け、このグリル枠の吸込口には吸込グリルを設け、この吸込グリルの開口部には、吸込空気を清浄化するためのフィルタを着脱可能に設置し、前記吸込グリルとフィルタとが一体的にフィルタ交換位置まで降下可能に構成された昇降グリルを備えた天井埋込型空気調和装置において、前記昇降グリルを昇降させる昇降機構を収納した機構ボックスを前記グリル枠の端部に設置する際に前記本体の外部に前記機構ボックスの一部を露出するための切り欠き部を前記本体の側面部に設け、前記機構ボックスを設置しない場合には、前記切り欠き部が板材で閉塞されることを特徴とするものである。
【００１２】
【発明の実施の形態】
以下、本発明の実施の形態を、図面に基づき説明する。
【００１３】
図１は本発明に係る天井埋込型空気調和装置１００を示す図である。図１に示すように、天井埋込型空気調和装置１００は、居住空間において天井に設置され、特に壁寄りの位置に設けられる。本体１は天井内部に埋設されている。
【００１４】
図２は、図１に示す矢印Ａから見た短手方向の透視図であり、この本体１の内部には、図２に示すように、熱交換器２、送風機３等が収納されている。本体１の下端にはグリル枠４が固定され、このグリル枠４の一端側には、居住空間の広域側寄りに吹出口５が設けられている。この吹出口５から居住空間の広域側（被調和室の中央部側）に空気が吐出される。また、上記グリル枠４の他端側には、壁寄りの位置に吸込口６が設けられており、この吸込口６から空気が吸い込まれる。この吸込口６には昇降グリル２００が配設されている。
【００１５】
昇降グリル２００は、吸込グリル１０と、吸込グリル１０の開口部に着脱可能に設置される吸込空気を清浄化するためのロング・ライフ・フィルタ１１とを有し構成されている。
【００１６】
これら吸込グリル１０とフィルタ１１とは、図１に示すように、三本の吊りひも１２，１３，１４を介して、グリル枠４に昇降自在に吊持されている。
【００１７】
上記吸込グリル１０の三ヶ所には三本の吊りひも１２，１３，１４の一端１２ａ，１３ａ，１４ａがそれぞれ止着され、各吊りひも１２，１３，１４の他端１２ｂ，１３ｂ，１４ｂは、図３に示すように、昇降機構３１につながれている。この昇降機構３１は、機構ボックス２１に収納される。
【００１８】
昇降グリル２００は、吸込グリル１０の長辺側の一側縁１０Ａが、二本の吊りひも１２，１３で支持されると共に、長辺側の他側縁１０Ｂの略中央部が一本の吊りひも１４で支持され、この一本の吊りひも１４で支持した部分の近傍には、昇降グリル２００をグリル枠４の収納部の適正位置に収納したとき、グリル枠４の収納部の下面に当接する当接体２３を備えて構成される。また、二本の吊りひも１２，１３で支持した部分の近傍には、昇降グリル２００をグリル枠４の収納部の適正位置に収納したとき、グリル枠４の収納部の下面に当接する当接体２４を備えて構成される。中央部の当接体２３は、空清フィルタ２５の固定金具２７に一体的に形成されている。すなわち、この空気調和機では、ロング・ライフ・フィルタ１１の上に重ねて空清フィルタ２５が設置され、この空清フィルタ２５の固定金具２７に上記当接体２３が形成される。
【００１９】
本実施の形態において、機構ボックス２１は、グリル枠４における吸込口６の近くの端部４ａに、グリル枠４の吸込口６を避けて配置される。これによって、機構ボックス２１による吸込抵抗の増加を回避することができる。
【００２０】
そして、本体１の側面部１ａ（図１）には、図２に示すように、切り欠き部５１が設けられている。そして、機構ボックス２１が固定されているグリル枠４は、本体１の下端に取り付けられ、機構ボックス２１がこの切り欠き部５１に挿入される。このようにグリル枠４を本体１に取り付ける場合、グリル枠４に固定される機構ボックス２１がこの切り欠き部５１にガイドされることから、適正な位置にグリル枠４を導くことができ、グリル枠４の設置が容易となる。
【００２１】
この切り欠き部５１には、シール材４０が切り欠き部５１に沿って取り付けられており、この機構ボックス２１が挿入されたときに、より気密性が高められている。
【００２２】
このようにグリル枠４を本体１に取り付けた場合、図４に示すように、本体１の外部に機構ボックス２１の一部が露出される。これによって、機構ボックス２１が天井板等に接触することはないので、施工等の作業が容易である。
【００２３】
本実施の形態では、機構ボックス２１は、一半部が本体１の外部に露出され、残りの他半部が本体１の内部に収納される。上記切り欠き部５１は、冷媒配管やドレン配管等の配管類が導出される本体１の側面部１ｂに対向する側面部１ａに設けられている。
【００２４】
図５は、グリル枠４を示す上面図であり、図６は、図５のＢ−Ｂ線に沿う断面図である。昇降機構３１は、図５及び図６に示すように、機構ボックス２１の上部及び下部に設けられた軸受け２８，２９に支持されるシャフト３２と、このシャフト３２に取り付けられるボビン３３ａ，３３ｂ，３３ｃと、シャフト３２に取り付けられる駆動ギア３４と、この駆動ギア３４と噛み合う第１のギア３５と、この第１のギア３５と噛み合う第２のギア３６と、ステッピングモータ３７と、このステッピングモータ３７の回転軸に取り付けられ第２のギア３６と噛み合うウォームギア３８とを含んで構成される。これによって、ステッピングモータ３２により三個のボビン３３ａ，３３ｂ，３３ｃが回転駆動されることになる。
【００２５】
機構ボックス２１内の三個のボビン３３ａ，３３ｂ，３３ｃには、三本の吊りひも１２，１３，１４の他端１２ｂ，１３ｂ，１４ｂ（図３）がそれぞれ巻き取られる。これら吊りひも１２，１３，１４の一端１２ａ，１３ａ，１４ａは、それぞれ機構ボックス２１外に導出されて、グリル枠４に形成された各ガイド１６で案内された後、グリル枠４に形成された各通し孔１７を経て、図１に示すように、被調和室側に延出し、上記吸込グリル１０の三ヶ所に固定される。
【００２６】
グリル枠４の短辺側の端部４ａ，４ｂには、図５に示すように、それぞれグリル枠４を補強するための補強金具４１，４２が取り付けられている。
【００２７】
グリル枠４の短辺側の一方の端部４ａは、図６に示すように、平坦部４ｃと、段部４ｄと、平坦部４ｃよりも低く、本体１の下端にグリル枠４を設置した場合に本体１の外部となる縁部４ｅとを有して構成される。そして、補強金具４１は、略コ字状に曲げられており、補強金具４１の下端が縁部４ｅに固定されている。補強金具４１の上端は、グリル枠４の平坦部４ｃとが同じ高さとなるように設定されている。
【００２８】
機構ボックス２１は、機構ボックス２１の一半部が本体１の外部に露出され、機構ボックス２１の一端２１ａがグリル枠４の端部４ａにおける平坦部４ｃにねじで固定されるとともに、他端２１ｂが補強金具４１の上端にねじで固定される。これによって、機構ボックス２１はグリル枠４に堅固に固定され、昇降機構３１（例えば、ステッピングモータ３７）による振動や騒音の発生を抑制することができる。さらに、グリル枠４に堅固に固定された機構ボックス２１が、本体１の側面部１ａに設けた切り欠き部５１に挿入されることから、本体１の強度も増強する。
【００２９】
具体的には、機構ボックス２１の他側部２１ｂに、機構ボックス２１を補強金具４１にねじで固定するための舌部２２を複数（図５では２箇所）設けている。そして、機構ボックス２１を補強金具４１に固定する場合は、舌部２２が補強金具４１にねじで固定される。
【００３０】
また、機構ボックス２１は、図６に示すように、軸受け２９（シャフト３２の軸）がグリル枠４の縁部４ｅ側に露出するように配置されている。言い換えれば、機構ボックス２１は、シャフト３２の回転軸（軸受け２９）が平坦部４ｃと補強金具４１との間に位置するように配置されている。これによって、シャフト３２の回転による振動がグリル枠４に直接伝達するのを抑制している。
【００３１】
さらに、シャフト３２の回転軸（軸受け２９）が本体１の外部に位置することになるので、ボビン３３ａ，３３ｂ，３３ｃの回転による振動や騒音が本体１内部に伝わるのを抑制している。
【００３２】
この機構ボックス２１には、シャフト３２の回転軸（軸受け２９）を平坦部４ｃと補強金具４１との間に位置するように、機構ボックス２１の他側部２１ｂにボビン３３ａ，３３ｂ，３３ｃを回避するための張り出し部２１ｃを設けている。これによって、機構ボックス２１の大型化を回避して省スペース化を図ることができる。
【００３３】
つぎに、動作を説明する。
【００３４】
機構ボックス２１内のステッピングモータ３７が回転駆動されると、ボビン３３ａ，３３ｂ，３３ｃに巻かれたそれぞれの吊りひも１２，１３，１４が繰り出し／巻き取りされる。本体１内の制御装置（不図示）は、この制御装置と無線状態で通信されるリモートコントローラ（不図示）によりグリル昇降運転を選択した時に、ステッピングモータ３７を駆動制御する。グリル昇降運転は、上記吸込グリル１０の上昇運転と降下運転とを有して構成されており、上記各フィルタ１１，２５の清掃、交換等のメンテナンス作業時に使用される。
【００３５】
このメンテナンス作業時には、まず作業者がリモコンからグリル昇降運転の降下運転を選択する。降下運転が選択されると、上記図示しない制御装置によりステッピングモータが起動されて、機構ボックス２１から吊りひも１２，１３，１４が繰り出され、図１に示すように、上記吸込グリル１０が天井から降下され始める。この時、機構ボックス２１から繰り出される吊りひも１２，１３，１４の繰り出し量は、制御装置３４により各々同量を保たれ、上記吸込グリル１０はほぼ水平状態を維持されながら降下される。
【００３６】
上記吸込グリル１０が、フィルタ交換位置Ｘよりも若干上位の位置Ｙまで降下されると、図示しない制御装置により、第一の時間がカウントされ始める。第一の時間は上記吸込グリル１０が位置Ｙからフィルタ交換位置Ｘに降下されるまでの時間である。第一の時間がカウントされる間、上記吸込グリル１０は水平状態でフィルタ交換位置Ｘまで降下される。このフィルタ交換位置Ｘまで上記吸込グリル１０が降下されると、一本の吊りひも１４の巻かれたボビン３３ｃが、例えばクラッチ等を介して、ステッピングモータ３７の駆動系から離脱し、当該一本の吊りひも１４の繰り出しが停止される。
【００３７】
そして、図示しない制御装置により、第二の時間がカウントされ始める。第二の時間は、上記吸込グリル１０が水平状態から傾き角ａまで傾けられる時間である。この第二の時間の間、機構ボックス２１からは二本の吊りひも１２，１３だけが繰り出され、上記吸込グリル１０は水平状態から被調和室の中央部側（空気の吐出側）に傾けられる。
【００３８】
吸込グリル１０が傾き角ａに傾けられると、図示しない制御装置により、ステッピングモータの駆動が停止され、二本の吊りひも１２，１３の繰り出しが停止され、降下運転を停止する。
【００３９】
上記フィルタ交換位置Ｘにおいて、作業者により上記フィルタ１１，２５は上記吸込グリル１０から取り外され、清掃、交換される。その後、上記フィルタ１１，２５は上記吸込グリル１０に取り付けられ、作業者によりリモコンからグリル昇降運転の上昇運転が選択される。
【００４０】
上昇運転が選択されると、図示しない制御装置により、第三の時間がカウントされ始める。この第三の時間は、傾き角ａに傾けられた上記吸込グリル１０が水平状態に戻るまでの時間である。この第三の時間がカウントされ始めると、ステッピングモータが駆動され、二本の吊りひも１２，１３の巻き取りが開始され、被調和室の中央部側（空気吐出側）に傾いた上記吸込グリル１０の一端側が水平状態に戻りながら上昇される。ここで、一本の吊りひも１４の巻かれたボビン３３ｃは、例えばクラッチ等を介して、ステッピングモータ３７の駆動系から離脱し、吊りひも１４の巻き取りは停止される。
【００４１】
つぎに、上記吸込グリル１０が水平状態に戻されると、さらに一本の吊りひも１４の巻かれたボビン３３ｃがステッピングモータ３７の駆動系に連結されて、上位吸込グリル１０は水平状態で上昇される。そして、吸込グリル１０は水平状態のままグリル枠４内に進入し、上述した当接体２３，２４が、グリル枠４の収納部の下面に当接するまで、それぞれの吊りひも１２，１３，１４が巻き取られる。当接体２３，２４が、グリル枠４の収納部の下面に当接した後は、例えば対応するボビンがステッピングモータ３７の駆動系から離脱し、スリップ等して、対応する吊りひもの巻き取りが停止し、すべてが停止した場合、図示しない制御装置により上昇運転が停止される。
【００４２】
ここで、上述した吊りひも１２，１３，１４及び昇降機構３１を収納した機構ボックス２１は、グリル枠４に着脱可能なオプション部品である。そして、吊りひも１２，１３，１４及び機構ボックス２１を設置しない場合、例えば、吊りひも１２，１３，１４及び機構ボックス２１を撤去した場合、昇降グリル２００は、従来のように、操作者による手作業により取り外し／取り付けが行われるものである。
【００４３】
このように、機構ボックス２１を設置しない場合に対応して、切り欠き部５１を板材６１で閉塞できるようにしている。具体的には、側面部１ａに、図２及び図７に示すように、板材６１をねじ６５で係止するためのねじ孔５２を設けている。このねじ孔５２は、切り欠き部５１両端の近傍の側面部１ａの下端に設けるのが好ましい。
【００４４】
この板材６１は、切り欠き部５１と略同形状である。そして、この板材６１の両端部には、ねじ６５で本体１の側面部１ａに固定するための舌部６２が設けられている。
【００４５】
機構ボックス２１を設置しない場合、図７に示すように、切り欠き部５１を閉塞する板材６１が、本体１の側面部１ａにねじ６５で固定される。これによって、この切り欠き部５１から吸込んだ空気が漏れるのを防止している。したがって、この切り欠き部５１によって空調の性能が低下することはない。
【００４６】
切り欠き部５１の上端側における本体１の側面部１ａには、図８に示すように、本体１の内側に折り曲げられた折曲部６６が備えられており、この折曲部６６には、開口部６７が備えられている。そして、図７及び図８に示すように、この板材６１の上端部には、開口部６７に挿通するための舌部６３が設けられている。これによって、この板材６１は、三点で強固に固定されることになる。そして、この板材６１の着脱の際には、二点のねじ６５の着脱により、板材６１が上下方向に着脱可能となるので、天井内の狭い空間であっても、板材６１の着脱が容易となる。
【００４７】
以上、本実施の形態によれば、機構ボックス２１の一部を、本体１の側面部１ａに設けた切り欠き部５１を通じて本体１の外部に露出させたことから、本体１内部における機構ボックス２１の占有スペースを小さくできるので、本体１のサイズを変更する必要がなく、また、空調の性能の低下を回避することができ、しかも、天井板に干渉することもないので、施工が容易となる。
【００４８】
また、機構ボックス２１をグリル枠４の端部４ａに設けられたグリル枠４を補強する補強金具４１に固定したことから、機構ボックス２１がグリル枠４に強固に固定され、昇降機構３１による振動や騒音の発生を抑制することができる。
【００４９】
更に、機構ボックス２１を設置しない場合に対応して、切り欠き部５１を板材６１で閉塞できるようにしたことから、機構ボックス２１を設置しない場合に切り欠き部５１から吸込んだ空気が漏れるのを防止できるので、空調の性能が低下を防止できる。
【００５０】
以上、本発明を上記実施の形態に基づいて説明したが、本発明はこれに限定されるものではない。
【００５１】
例えば、一方向カセット型の空気調和装置について説明したが、二方向カセット型のもの、四方向カセット型のものにも適用が可能である。
【００５２】
また、昇降グリルを昇降させる吊りひもが三本の場合について説明したが、昇降グリルを昇降させる吊りひもの本数は任意であり、例えば、吊りひもが四本の場合であっても適用が可能である。
【００５３】
【発明の効果】
本発明によれば、機構ボックスを設置する場合、施工が容易で空調の性能の低下を回避することができる。
【図面の簡単な説明】
【図１】本発明に係る天井埋込型空気調和装置の一実施の形態を示す図である。
【図２】図１に示す天井埋込型空気調和装置の短手方向の透視図である。
【図３】グリル枠と吸込グリルとを示す斜視図である。
【図４】天井埋込型空気調和装置の平面図である。
【図５】グリル枠を示す上面図である。
【図６】図５のＢ−Ｂ線に沿う断面図である。
【図７】機構ボックスを設置しない場合の本体を示す斜視図である。
【図８】板材を本体に取り付ける場合を示す断面図である。
【符号の説明】
１  本体
１ａ  側面部
５  吹出口
４  グリル枠
４ａ  端部
６  吸込口
１０  吸込グリル
１１  ロング・ライフ・フィルタ（フィルタ）
１２，１３，１４  吊りひも
２１  機構ボックス
３１  昇降機構
４１  補強金具
５１  切り欠き部
６１  板材
１００  天井埋込型空気調和装置
２００  昇降グリル
【図１】
2004218988.tif 000003
【図２】
2004218988.tif 000004
【図３】
2004218988.tif 000005
【図４】
2004218988.tif 000006
【図５】
2004218988.tif 000007
【図６】
2004218988.tif 000008
【図７】
2004218988.tif 000009
【図８】
2004218988.tif 000010